(57)【要約】【課題】薄型の撮像系を実現するため４眼の光学系を用いてＲＧＢの画像を生成し、合成して映像信号を得る技術がある。しかし、前記方法では視差に起因して、被写体距離に応じたＲＧＢの画像のずれが生じてしまう。本発明では近接撮影時の画像の色ずれや鮮鋭度の低下を防ぐことを目的にする。【解決手段】同一平面上に複数の撮像領域を備えた撮像素子上に像を形成する撮影光学系を持ち、前記撮像素子は同一のスペクトル分布で形成された同一視野の第１及び第２の出力画像とを有し、前記第１及び第２の画像の間隔変化に基づいて近接撮影を検知し、複数の撮像領域の何れかの単一画像を出力する。【選択図】図１
2006080838.tif 000002
【特許請求の範囲】
【請求項１】
被写体像を異なる位置から取り込むための複数の開口と、該複数の開口より取り込んだ外光をそれぞれ別個に受光し、該別個に受光する外光毎に所定の色成分を抽出する複数の撮像手段と、該撮像手段の出力信号を処理する画像処理手段とを備え、
該画像処理手段は、前記複数の撮像手段の出力信号に基づく合成映像を形成する合成映像形成手段と、前記複数の撮像手段のうちの１つの出力信号に基づいて映像を形成する単一映像形成手段を有し、出力画像として、合成映像形成手段の出力画像と単一映像形成手段の出力画像とを切り替える機能を有することを特徴とする撮像装置。
【請求項２】
被写体像までの距離を検出する被写体距離検出手段を備え、前記被写体距離検出手段の出力に応じて、合成映像形成手段の出力画像と単一映像形成手段の出力画像とを切り替える機能を有することを特徴とする請求項１記載の撮像装置。
【請求項３】
前記被写体距離検出手段は、前記複数の撮像手段の同一の色成分を抽出した複数の撮像手段からの映像信号を比較することにより前記被写体距離を検出することを特徴とする請求項２記載の撮像装置。
【請求項４】
被写体の露光量を制御する露光制御手段と、露光量を検出する露光量検出手段とを有し、前記被写体距離検出手段と露光量検出手段とは同一検出手段を共有することを特徴とする請求項３記載の撮像装置。
【請求項５】
近接撮影を指示する近接撮影指示手段を有し、該近接撮影指示手段の状態により、合成映像形成手段の出力画像と単一映像形成手段の出力画像とを切り替える機能を有することを特徴とする請求項１記載の撮像装置。
【発明の詳細な説明】
【技術分野】
【０００１】
本発明は、デジタルスチルカメラ、ビデオムービー等の撮像装置に関するものである。
【背景技術】
【０００２】
デジタルカメラでは、ＣＣＤやＣＭＯＳセンサ等の撮像素子に被写界像を所望の時間露光し、これより得られた１画面の画像信号をデジタル信号に変換して、ＹＣ処理等の所定の処理を施し、所定の形式の画像信号を得ている。撮像された画像を表わすデジタルの画像信号は、それぞれの画像毎に、半導体メモリ、テープ媒体、ＨＤＤ等に記録される。
【０００３】
記録された画像信号は、単独に、或は連続的に、随時読み出されて表示又は印刷可能な信号に再生され、モニタ等の出力装置に表示される。
【０００４】
又、４眼の光学系を用いてＲＧＢの画像を生成し、これらを合成して映像信号を得る技術があるが、この技術は薄型の撮像系を実現する上で極めて有効である。
【０００５】
【特許文献１】特開２００２−４３５５５号公報
【発明の開示】
【発明が解決しようとする課題】
【０００６】
しかしながら、上記の３眼光学系或は４眼光学系を用いる方法では、光学系の持つ視差に起因して、被写体距離に応じたＲＧＢの画像のずれが生じてしまう。このＲＧＢの画像のずれは、出力画像の色ずれや鮮鋭度の低下を招き、好ましくない。
【０００７】
本発明は上述した課題に鑑みてなされたものであり、その目的は、近接撮影時の画像の色ずれや鮮鋭度の低下を防ぐことができる撮像装置を提供することにある。
【課題を解決するための手段】
【０００８】
上述した課題を解決し、目的を達成するために、本発明に係る撮像装置は、同一平面上に複数の撮像領域を備えた撮像素子と、該複数の撮像領域上に各々物体像を形成する撮影光学系と、前記撮像素子の出力信号を処理する画像処理手段とを具備し、前記撮像素子は同一のスペクトル分布で形成された略同一視野の第１及び第２の出力画像とを有し、前記出力信号の処理過程において、前記第１及び第２の画像の間隔変化に基づいて被写体距離を検出し、前記被写体検出距離が近接撮影と判断し得る所定値以上の場合、複数の撮像領域の何れかの単一画像を出力する手段を有することを特徴としている。
【発明の効果】
【０００９】
本発明によれば、近接撮影時に、単一チャネル（モノクロモード）での画像出力に切り替えることで、色ずれを防止でき、解像度の低下を抑制することができる。
【発明を実施するための最良の形態】
【００１０】
以下に本発明の実施の形態を添付図面に基づいて説明する。
【００１１】
＜実施の形態１＞
図２は本発明の実施の形態１に係るデジタルカメラの外観を示す図、図２（ａ）はカメラの表面図、図２（ｂ）はカメラの裏面図である。
【００１２】
図２において、２０１はカード型のカメラ本体、２０２は撮像画像を表示する液晶モニタ、２０３は使用者がカメラの状態をセットするためのスイッチ類、２０４は使用者がカメラを保持するグリップ部、２０５はレリーズボタンである。
【００１３】
２０６は撮像系であり、２０７の断面図で示す構造を持つ。撮像系２０７は、保護ガラス２０９、絞り２０８、光学フィルター２１０、撮影レンズ１０２、撮像素子１０３により構成される。
【００１４】
ここで、撮影光学系の基本要素は撮影レンズ１０２、絞り２０８、固体撮像素子１０３であり、撮像系２０７は緑色（Ｇ）画像信号、赤色（Ｒ）画像信号、青色（Ｂ）画像信号を別々に得るための４つの光学系を備えている。
【００１５】
このシステムで想定している物体距離は数ｍと結像系の光路長に比して極めて大きいので、想定物体距離に対して入射面をアプラナチックとすると入射面は極めて小さな曲率を持つ凹面であり、ここでは平面で置き換えている。この撮影レンズ１０２は、４つのレンズ部１０２ａ，１０２ｂ，１０２ｃ，１０２ｄを有し、これらは輪帯状の球面で構成されている。このレンズ部１０２ａ，１０２ｂ，１０２ｃ，１０２ｄ上には６７０ｎｍ以上の波長域について低い透過率を持たせた赤外線カットフィルターが形成されている。
【００１６】
４つのレンズ部１０２ａ，１０２ｂ，１０２ｃ，１０２ｄのそれぞれが結像系であって、後述するように、レンズ部０１２ａと１０２ｄが緑色（Ｇ）画像信号用、レンズ部１０２ｂが赤色（Ｒ）画像信号用、レンズ部１０２ｃが青色（Ｂ）画像信号用となる。又、ＲＧＢの各代表波長における焦点距離は全て１．４５ｍｍとする。
【００１７】
次に、絞り２０８は４つの円形開口２０８ａ，２０８ｂ，２０８ｃ，２０８ｄを有する。この各々から撮影レンズ１０２の光入射面に入射した物体光は、４つのレンズ部１０２ａ，１０２ｂ，１０２ｃ，１０２ｄから射出して、固体撮像素子１０３の撮像面上に４つの物体像を形成する。絞り２０８と光入射面及び固体撮像素子１０３の撮像面は平行に配置されている。絞り２０８と４つのレンズ部１０２ａ，１０２ｂ，１０２ｃ，１０２ｄとは、ツィンケン・ゾンマーの条件を満たす位置関係、即ち、コマ収差と非点収差を同時に除く位置関係に設定されている。
【００１８】
光学フィルター２１０ａと２１０ｄは図３にＧで示した主に緑色を透過する分光透過率特性を有し、光学フィルター２１０ｂはＢで示した主に青色を透過する分光透過率特性を有し、更に、光学フィルター２１０ｃはＲで示した主に赤色を透過する分光透過率特性を有している。即ち、これらは原色フィルターである。レンズ部１０２ａ，１０２ｂ，１０２ｃ，１０２ｄに形成されている赤外線カットフィルターの特性との積として、イメージサークルに形成されている物体像はそれぞれ、緑色光成分、緑色光成分、赤色光成分によるものとなる。
【００１９】
各結像系に各スペクトル分布の代表波長について略同一の焦点距離を設定すれば、これらの画像信号を合成することにより良好に色収差の補正されたカラー画像を得ることができる。通常、色収差を除去する色消しは、分散の異なる少なくとも２枚のレンズの組み合わせが必要である。これに対して、各結像系が１枚構成であることによるコストダウン効果がある。更に、撮像系の薄型化への効果が大きくなる。
【００２０】
一方、固体撮像素子１０３の４つの撮像領域１０３ａ，１０３ｂ，１０３ｃ，１０３ｄ上にも又光学フィルターが形成されている。尚、撮像領域１０３ａと１０３ｄの分光透過率特性は図３にＧで示したもの、撮像領域１０３ｂの分光透過率特性は図３にＢで示したもの、撮像領域１０３ｃの分光透過率特性は図１０にＲで示したものである。つまり、撮像領域１０３ａと１０３ｄは緑色光（Ｇ）に対して、撮像領域１０３ｂは青色光（Ｂ）に対して、撮像領域８２０ｃは赤色光（Ｒ）に対して感度を持つ。
【００２１】
各撮像領域の受光スペクトル分布は瞳と撮像領域の分光透過率の積として与えられるため、イメージサークルの重なりがあっても、結像系の瞳と撮像領域の組み合わせは波長域によってほぼ選択される。
【００２２】
更に、撮像領域１０３ａ，１０３ｂ，１０３ｃ，１０３ｄの上にはマイクロレンズが各画素の受光部毎に形成されている。マイクロレンズは固体撮像素子１０３の受光部に対して偏心した配置をとり、その偏心量は各撮像領域１０３ａ，１０３ｂ，１０３ｃ，１０３ｄの中央でゼロ、周辺に行くほど大きくなるように設定されている。又、偏心方向は各撮像領域１０３ａ，１０３ｂ，１０３ｃ，１０３ｄの中央の点と各受光部を結ぶ線分の方向である。
【００２３】
先に説明した、波長域を利用して各撮像領域に対して選択的に瞳を割り当てる手法に加えて、マイクロレンズを利用して各撮像領域に対して選択的に瞳を割り当てる手法をも適用し、絞りの開口２０８ａを通過した物体光は撮像領域１０３ａで光電変換され、絞りの開口２０８ｂを通過した物体光は撮像領域１０３ｂで光電変換され、絞りの開口２０８ｃを通過した物体光は撮像領域１０３ｃで光電変換され、更に、絞りの開口２０８ｄを通過した物体光は撮像領域１０３ｄで光電変換される。従って、撮像領域１０３ａと１０３ｄはＧ画像信号を、撮像領域１０３ｂはＢ画像信号を、撮像領域１０３ｃはＲ画像信号を出力することになる。
【００２４】
不図示の画像処理系は、固体撮像素子１０３の複数の撮像領域が、各々複数の物体像の１つから得た選択的光電変換出力に基づいてカラー画像を形成する。この際、各結像系の歪曲を演算上で補正し、比視感度のピーク波長５５５ｎｍを含むＧ画像信号を基準としてカラー画像を形成するための信号処理を行う。Ｇ物体像は２つの撮像領域１０３ａと１０３ｄに形成されるため、その画素数はＲ画像信号やＢ画像信号に比べて２倍となり、視感度の高い波長域で特に高精細な画像を得ることができるようになっている。この際、固体撮像素子の撮像領域１０３ａと１０３ｄ上の物体像を相互に上下左右１／２画素分ずらすことにより、少ない画素数で解像度を上げる画素ずらしという手法を用いることができる。
【００２５】
ここで、単一の撮影レンズを用いる撮像系との比較において、固体撮像素子の画素ピッチを固定して考えると、固体撮像素子上に２×２画素を一組としてＲＧＢカラーフィルターを形成したベイヤー配列方式に比較し、この方式は物体像の大きさが１／√４になる。これに伴って撮影レンズの焦点距離はおおよそ１／√４＝１／２にまで短くなる。従って、カメラの薄型化に対して極めて有利となる。
【００２６】
次に、信号処理系の概略構成を説明する。
【００２７】
図１は本発明の信号処理系のブロック図である。本カメラは、ＣＣＤ或はＣＭＯＳセンサ等の固体撮像素子１０３を用いたシステムであり、固体撮像素子１０３を連続的又は単発的に駆動して動画像又は静止画像を形成し得る画像信号を得る。ここで、固体撮像素子１０３とは、露光した光を各画素毎に電気信号に変換してその光量に応じた電荷をそれぞれ蓄積し、その電荷を読み出すタイブの撮像デバイスである。
【００２８】
尚、図面には本発明に直接関係する部分のみが示されており、本発明に直接関係しない部分は図示とその説明を省略する。
【００２９】
図１に示すように、本カメラシステムは、撮像レンズ１０２と、撮像素子１０３と、Ａ／Ｄ変換器１０４、ＲＧＢ画像形成処理回路１０７と、複数の撮像領域のうちの単一の領域の出力信号より画像を形成する単一エリア画像形成処理回路、ＹＣ処理回路１１０、ＲＧＢ画像形成処理回路の出力信号と単一エリア画像形成処理回路の出力信号とを切り替える出力信号切り替え回路１０８と、被写体との距離を検出する被写体距離検出回路１０９とを有する。
【００３０】
物体からの光束１０１は、絞り２０８、撮影レンズ１０２を介して固体撮像素子１０３の撮像面に結像され、被写体像は固体撮像素子１０３に露光される。前述のように、固体撮像素子１０３は、ＣＣＤやＣＭＯＳセンサ等の撮像デバイスが有効に適用され、固体撮像素子１０３の露光時間及び露光間隔を制御することにより、連続した動画像を表わす画像信号、又は１回の露光による静止画像を表わす画像信号を得ることができる。
【００３１】
前述のように撮像素子１０３は、例えば、各撮像領域毎に長辺方向に８００画素、短辺方向に６００画素を有し、合計１９２万の画素数を有する撮像デバイスであり、その前面には赤色（Ｒ）、緑色（Ｇ）、青色（Ｂ）の３原色の光学フィルターが所定の領域毎に配置されている。
【００３２】
固体撮像素子１０３から読み出された画像信号は、それぞれＡ／Ｄ変換器１０４を介して画像処理系１０６，１０７に供給される。Ａ／Ｄ変換器１０４は、露光した各画素の信号の振幅に応じて、例えば、１０ビットのデジタル信号に変換して出力する信号変換回路であり、以降の画像信号処理はデジタル処理にて実現される。
【００３３】
ＲＧＢ画像形成処理回路１０７は、Ｒ，Ｇ，Ｂのデジタル信号から所望の形式の画像信号を得る信号処理回路であり、ＹＣ処理回路１１０と合わせて、Ｒ，Ｇ，Ｂの色信号を輝度信号Ｙ及び色差信号（Ｒ−Ｙ），（Ｂ−Ｙ）にて表わされるＹＣ信号等に変換する。
【００３４】
ＲＧＢ画像形成処理回路１０７は、Ａ／Ｄ変換器１０４を介して固体撮像素子１０３から受けた８００×６００×４画素の画像信号を処理する信号処理回路であり、ホワイトバランス回路、ガンマ補正回路、補間演算による高解像度化を行う補間演算回路を有する。
【００３５】
ＹＣ処理回路１１０は、輝度信号Ｙおよび色差信号Ｒ−Ｙ，Ｂ−Ｙを生成する信号処理回路である。高域輝度信号ＹＨを生成する高域輝度信号発生回路、低域輝度信号ＹＬを生成する低域輝度信号発生回路及び色差信号Ｒ−Ｙ，Ｂ−Ｙを生成する色差信号発生回路で構成されている。輝度信号Ｙは、高域輝度信号ＹＨと低域輝度信号ＹＬを合成することによって形成される。
【００３６】
不図示の記録再生回路では、メモリへの画像信号の出力と、液晶モニタ２０２への画像信号の出力とを行う処理系を有し、メモリへの画像信号の書き込み及び読み出し処理を行う記録処理回路と、メモリから読み出した画像信号を再生して、モニタ等への出力信号を形成する再生処理回路とを含む。より詳細には、記録処理回路は、静止画像及び動画像を表わすＹＣ信号を所定の圧縮形式にて圧縮し、又、圧縮データを読み出した際に伸張する圧縮伸張回路を含んでいる。圧縮伸張回路は、信号処理のためのフレームメモリ等を有し、このフレームメモリに画像処理回路からのＹＣ信号をフレーム毎に蓄積して、それぞれ複数のブロック毎に読み出して圧縮符号化する。圧縮符号化は、例えば、ブロック毎の画像信号を２次元直交変換、正規化及びハフマン符号化することにより行う。
【００３７】
再生処理回路は、輝度信号Ｙ及び色差信号Ｒ−Ｙ，Ｂ−Ｙをマトリックス変換し、例えば、ＲＧＢ信号に変換する回路である。再生処理回路によって変換された信号は液晶モニタ２０２に出力され、可視画像が表示再生される。
【００３８】
不図示の制御系では、外部操作に応動して撮像系、画像処理系、記録再生系をそれぞれ制御する各部の制御回路を含み、レリーズボタン２０５の押下を検出して、撮像素子１０３の駆動、ＲＧＢ画像処理回路１０６の動作、単一エリア画像形成回路１０７の動作、それらの切り替え回路１０８の制御、記録処理回路の圧縮処理等を制御する。
【００３９】
ＲＧＢ画像処理回路１０７での処理は次のようなものである。
【００４０】
即ち、Ａ／Ｄ変換器１０４を介してＲ，Ｇ，Ｂ領域毎に出力されたＲＧＢ信号に対して、先ず、ＲＧＢ画像処理回路内のホワイトバランス回路にてそれぞれ所定の白バランス調整を行い、更に、ガンマ補正回路にて所定のガンマ補正を行う。ＲＧＢ画像処理回路１０７内の補間演算回路は、固体撮像素子１０３の画像信号に補間処理と歪曲補正を施すことによって１２００×１６００の解像度の画像信号をＲＧＢ毎に生成し、後段の高域輝度信号発生回路、低域輝度信号発生回路、色差信号発生回路に供給する。又、１０６は複数の撮像領域のうちの１つの出力信号に基づいて映像を形成する単一エリア映像形成回路であり、前記ＲＧＢ処理回路に準じるホワイトバランス回路、ガンマ補正回路、高域輝度信号発生回路、低域輝度信号発生回路、色差信号発生回路等の処理回路を有する。
【００４１】
ここで、図４に示すように、ＲＧＢ画像処理回路１０７を使用し、近接撮影を行った場合、図４に示すように各領域の画像が一致せず（４０１）、解像度、鮮鋭度の低下を生じてしまう。そこで、或る所定量の画像ずれが生じた場合、複数の撮像領域のうちの１つの出力信号に基づいて映像を形成することにより、解像度煮の低下を防ぐことが可能となる（４０２）。
【００４２】
図５は像ずれ（被写体距離）を検出するために用いる撮像素子像の検出エリア設定を説明するための図である。
【００４３】
図５において、５０１ａ，５０１ｂ，５０１ｃ，５０１ｄは固体撮像素子１０３の４つの撮像領域である。ここでは説明のため、撮像領域５０１ａ，５０１ｂ，５０１ｃ，５０１ｄの各々は８×６の領域の配列で構成している。撮像領域５０１ａ，５０１ｄはＧ画像信号を、撮像領域５０１ｂはＢ画像信号を、５０１ｃはＲ画像信号を出力する。撮像領域５０１ａ，５０１ｄは何れもＧ画像を出力するため、線分Ｌ５０２は撮像領域５０１ａと５０１ｄとの光学中心５０３，５０４とを結ぶ線分であり、線分Ｌ５０２の下に位置する撮像領域５０１ａ，５０１ｄの画素領域の信号は類似した形となり、これらの相関を取ることにより撮像領域５０１ａ，５０１ｄ間の画像ずれを検出することができる。
【００４４】
このような色特性において同一のスペクトル分布を有する１対の信号間の相対的変化量は、相関演算を用いた公知の手法を用いて検出することが可能である。
【００４５】
図６は撮像領域５０１ａ，５０１ｄの画像ずれを検出法を示したもので、センサ６０５ａ，６０５ｂは、図５の線分Ｌ５０２の下に位置する画像領域を並べて構成されたものに相当する。被写体距離Ａのとき、図７に示すように、センサ６０５ａ，６０５ｂの出力は一致する。しかし、被写体距離Ｂ，Ｃのとき、センサ出力は図８のように像ずれが生じる。このずれ量ｍを検出することにより、被写体距離を検出できる。
【００４６】
次に、本カメラの動作を説明する。
【００４７】
先ず、メインスイッチ２１１をオンとすると、各部に電源電圧が供給され、動作可能状態となる。
【００４８】
続いて、メモリに画像信号を記録可能かどうかが判定される。この際の残り容量、撮影可能枚数は、液晶モニタ２０２に表示される。
【００４９】
その表示を見て、撮影者は撮影可能であれば、被写体にカメラを向け、レリーズボタン２０５を押下する。レリーズボタン２０５が押下されると、露光時間の算出を行うとともに、測距演算回路１０９により、被写体距離の演算が行われる。そこで検出された被写体距離が所定値以下の場合、近接撮影と判断し、液晶モニターに近接撮影モード（名刺撮影モード）切替の表示と、スイッチ１０８での出力信号の切り替えが行われ、単一エリア画像形成回路１０６により、単一エリアのみの画像を形成し、モノクロでの画像出力が行われる。
【００５０】
又、スイッチ２０３は、近接撮影モード（名刺撮影モード）への切替を行うスイッチであり、強制的に前述の近接撮影モードへと切り替える。又は、近接撮影モード（名刺撮影モード）への通常モードへと強制的に切り替える。
【００５１】
＜実施の形態２＞
図１０は画像全体の露光評価値を得るための演算回路の画面分割を示したものであるが、この分割のうち、図５に示すように、Ｇ１，Ｇ２のそれぞれの光学中心位置を結ぶ直線上に位置する分割エリアの信号を使用することで、実施の形態１に相当する信号を得ることができる。この場合、検出ユニットには、Ｇ１，Ｇ２を時系列入力していくことで、検出を行う。
【００５２】
次に、本カメラの動作を説明する。
【００５３】
先ず、メインスイッチ２１１をオンとすると、各部に電源電圧が供給され、動作可能状態となる。
【００５４】
続いて、メモリに画像信号を記録可能かどうかが判定される。この際の残り容量、撮影可能枚数は、液晶モニター２０２に表示される。
【００５５】
その表示を見て、撮影者は撮影可能であれば、被写体にカメラを向け、レリーズボタンを押下する。レリーズボタンが押されると、測光処理・測距処理回路１１０１により、露光時間の算出を行うとともに、被写体距離の演算が行われる。その検出された被写体距離が、所定値以下の場合、近接撮影と判断し、液晶モニターに近接撮影モード（名刺撮影モード）切替の表示が行われ、単一エリアのみの画像により画像を形成し、モノクロでの画像出力が行われる。
【００５６】
又、スイッチ２０３は、近接撮影モード（名刺撮影モード）への切替を行うスイッチであり、強制的に前述の近接撮影モードへと切り替える。又は、近接撮影モード（名刺撮影モード）への通常モードへと強制的に切り替える。
【００５７】
＜実施の形態３＞
図９は広く知られている測距センサの一例であるが、このような、外部センサ、例えば、超音波やＬＥＤ光を被写体に投射して距離を検出するアクティブ型側距センサを使用し、被写体距離を検出し、近接撮影モード（名刺撮影モード）への切替を行う手法も考えられる。この場合のシステムの基本的な構成は図１に示すものと同等である。
【００５８】
ここで、撮像レンズを通過した光束は、被写体の距離に応じて相対的な位置関係が変化し、センサ出力に反映される。センサユニット９０１は、センサ列９０２ａ，９０２ｂとを有し、異なる瞳領域を通過した光束による２像がセンサ列９０２ａ，９０２ｂの受光面上に形成され、センサ駆動装置９０３からの制御信号により像の光量分布に応じた電荷の蓄積及び転送を行う。センサ駆動装置９０３からの信号により時系列的に蓄積された電荷に基づいた光電変換信号をＡ／Ｄ変換器９０４でデジタル信号に変換し、被写体距路演算手段９０５により被写体距離を検出している。
【図面の簡単な説明】
【００５９】
【図１】本発明を説明するためのブロック図である。
【図２】本発明を説明するためのデジタルカメラの図である。
【図３】光学フィルターの分光透過率特性を表す図である。
【図４】視差による像ずれを表す図である。
【図５】視差による像ずれの方向を表す図である。
【図６】被写体距離に応じた視差による像ずれを表す図である。
【図７】合焦時のセンサー出力を示す図である。
【図８】非合焦時のセンサー出力を示す図である。
【図９】位相差式測距センサーのブロック図である。
【図１０】本発明を説明するための露光量検出ユニットの検出枠設定を表す図である。
【図１１】本発明を説明するためのブロック図である。
【符号の説明】
【００６０】
１０１  光束
１０２  撮像レンズ
１０３  撮像素子
１０４  Ａ／Ｄ変換器
１０７  ＲＧＢ画像形成処理回路
１０８  出力信号切り替え回路
１０９  被写体距離検出回路
１１０  ＹＣ処理回路
２０１  カメラ本体
２０２  液晶モニタ
２０３  スイッチ類
２０４  グリップ部
２０５  レリーズボタン
２０６  撮像系
２０７  撮像系
２０８  絞り
２０９  保護ガラス
２１０  光学フィルター
【図１】
2006080838.tif 000003
【図２】
2006080838.tif 000004
【図３】
2006080838.tif 000005
【図４】
2006080838.tif 000006
【図５】
2006080838.tif 000007
【図６】
2006080838.tif 000008
【図７】
2006080838.tif 000009
【図８】
2006080838.tif 000010
【図９】
2006080838.tif 000011
【図１０】
2006080838.tif 000012
【図１１】
2006080838.tif 000013